(57)【要約】【課題】ズーム表示するための画像を高画質で高速に生成することができ、かつ、ユーザに対して視覚上スムーズなズーミング効果を与えることができる画像データの表示方法を提供すること。【解決手段】画像データのサイズを変更して表示する旨の指示がなされた場合に、画像処理部１２での画像データのサイズを変更する処理を開始するステップと、前記画像データのサイズを変更する処理を行っている間に、ＶＳＣ１６−１により当該変更処理とは異なる画像データを順次段階的にサイズ変更して表示するステップと、画像処理部１２でのサイズ変更処理が完了したときに、ＶＳＣ１６−１によりサイズ変更されて表示されている画像データを、画像処理部１２でサイズ変更された画像データに置き換えて表示するステップとを具備する。【選択図】        図１
2005151029.tif 000002
【特許請求の範囲】
【請求項１】
画像データのサイズを変更して表示するにあたって、画像データのサイズを変更する処理を行っている間に、当該サイズ変更処理により変更されて表示される画像データとは異なる画像データを生成して表示するようにしたことを特徴とする画像データの表示方法。
【請求項２】
画像データのサイズを変更して表示する旨の指示がなされた場合に、第１の方法により前記画像データのサイズを変更する処理を開始するステップと、
前記画像データのサイズを変更する処理を行っている間に、当該サイズ変更処理とは異なる第２の方法によりサイズの異なる画像データを順次生成して表示するステップと、
前記第１の方法による前記画像データのサイズ変更処理が完了したときに、前記第２の方法によりサイズ変更されて表示されている画像データを、前記第１の方法によりサイズ変更された画像データに置き換えて表示するステップと、
を具備することを特徴とする画像データの表示方法。
【請求項３】
画像データのサイズを変更して表示する旨の指示がなされた場合に、当該サイズ変更指示がなされている間、第１の方法によりサイズの異なる画像データを順次生成して表示するステップと、
前記サイズ変更指示が停止されたときに、前記第１の方法によるサイズ変更処理を停止するステップと、
前記第１の方法によるサイズ変更処理が停止されたときの画像データの大きさに対応する大きさの画像データを前記第１の方法とは異なる第２の方法により生成するステップと、
前記第２の方法による画像データの生成処理が完了したときに、前記第１の方法によりサイズ変更されて表示されている画像データを、前記第２の方法により生成された画像データに置き換えて表示するステップと、
を具備することを特徴とする画像データの表示方法。
【請求項４】
画像データのサイズを変更して表示する旨の指示がなされた場合に、第１の方法によりサイズの異なる画像データを順次生成して表示する第１のステップと、
前記第１のステップでの画像データの表示中に、前記画像データのサイズ変更率が所定のサイズ変更率を越えた場合には、前記第１の方法とは異なる第２の方法によりサイズが変更された画像データの生成を開始する第２のステップと、
前記第２の方法による前記画像データの生成が完了したときに、前記第１の方法によりサイズ変更されて表示されている画像データを、前記第２の方法により生成された画像データに置き換えて表示する第３のステップと、
を具備することを特徴とする画像データの表示方法。
【発明の詳細な説明】
【技術分野】
【０００１】
本発明は、画像データの表示方法に関するものである。
【背景技術】
【０００２】
撮像素子としてのＣＣＤ等により撮像した画像データを表示する際に、拡大／縮小表示の指示がなされた場合には画像データを拡大／縮小して表示可能な電子撮像装置が知られている。例えば、特許第３１１０７８９号公報は、画像再生時に、操作手段の操作に応答して再生画像の一部を切り出し、拡大処理して電子ズームを行う画像記録再生装置を開示している。
【特許文献１】特許第３１１０７８９号公報
【発明の開示】
【発明が解決しようとする課題】
【０００３】
上記した特許第３１１０７８９号公報を含む従来技術では、ズーム指示により画像データを拡大あるいは縮小して表示することは可能であるが、ズーム動作を行いながら拡大／縮小用の画像を作成しているので当該画像の生成に少なからぬ時間を要してしまう。このため、拡大／縮小の段数を多段階にすることができず、ユーザに対して視覚上スムーズなズーミング効果を与えることができなかった。
【０００４】
本発明は、このような課題に着目してなされたものであり、その目的とするところは、ズーム表示するための画像を高画質で高速に生成することができ、かつ、ユーザに対して視覚上スムーズなズーミング効果を与えることができる画像データの表示方法を提供することにある。
【課題を解決するための手段】
【０００５】
上記の目的を達成するために、第１の発明は、画像データの表示方法であって、画像データのサイズを変更して表示するにあたって、画像データのサイズを変更する処理を行っている間に、当該サイズ変更処理により変更されて表示される画像データとは異なる画像データを生成して表示する。
【０００６】
また、第２の発明は、画像データの表示方法であって、画像データのサイズを変更して表示する旨の指示がなされた場合に、第１の方法により前記画像データのサイズを変更する処理を開始するステップと、前記画像データのサイズを変更する処理を行っている間に、当該サイズ変更処理とは異なる第２の方法によりサイズの異なる画像データを順次生成して表示するステップと、前記第１の方法による前記画像データのサイズ変更処理が完了したときに、前記第２の方法によりサイズ変更されて表示されている画像データを、前記第１の方法によりサイズ変更された画像データに置き換えて表示するステップと、を具備する。
【０００７】
また、第３の発明は、画像データの表示方法であって、画像データのサイズを変更して表示する旨の指示がなされた場合に、当該サイズ変更指示がなされている間、第１の方法によりサイズの異なる画像データを順次生成して表示するステップと、前記サイズ変更指示が停止されたときに、前記第１の方法によるサイズ変更処理を停止するステップと、前記第１の方法によるサイズ変更処理が停止されたときの画像データの大きさに対応する大きさの画像データを前記第１の方法とは異なる第２の方法により生成するステップと、前記第２の方法による画像データの生成処理が完了したときに、前記第１の方法によりサイズ変更されて表示されている画像データを、前記第２の方法により生成された画像データに置き換えて表示するステップと、を具備する。
【０００８】
また、第４の発明は、画像データのサイズを変更して表示する旨の指示がなされた場合に、第１の方法によりサイズの異なる画像データを順次生成して表示する第１のステップと、前記第１のステップでの画像データの表示中に、前記画像データのサイズ変更率が所定のサイズ変更率を越えた場合には、前記第１の方法とは異なる第２の方法によりサイズが変更された画像データの生成を開始する第２のステップと、前記第２の方法による前記画像データの生成が完了したときに、前記第１の方法によりサイズ変更されて表示されている画像データを、前記第２の方法により生成された画像データに置き換えて表示する第３のステップと、を具備する。
【発明の効果】
【０００９】
本発明によれば、ズーム表示するための画像を高画質で高速に生成することができ、かつ、ユーザに対して視覚上スムーズなズーミング効果を与えることができる。
【発明を実施するための最良の形態】
【００１０】
以下、図面を参照して本発明の実施形態を詳細に説明する。図１は、本発明の画像データの表示方法を実現するための電子撮像装置のシステム構成の概略構成を示すブロック図である。撮像素子としてのＣＣＤ１０は被写体を撮像することにより画像データを取得する部分である。ＳＤＲＡＭ１１は、ＣＣＤ１０により撮像された画像データを一時的に記憶するための第１記憶領域１１−１を有する。
【００１１】
画像処理部１２は、第１記憶領域１１−１に記憶されている画像データを読み出してＲＧＢ信号からのＹＣ信号の生成、ＪＰＥＧ圧縮等の所定の画像処理を行う部分であるが、それに加えてユーザからの拡大／縮小表示の指示を受けたときに、撮像時の画像データ（原画像データ）を拡大／縮小処理して新たな画像データを生成するサイズ変更部１２−１を備えている。ここでのサイズ変更処理では水平方向及び垂直方向のサイズ変更を行うが、垂直方向のサイズ変更では例えば挿入または間引き等の画像処理が行われる。また、水平方向のサイズ変更では例えば２点補間または４点Ｃｕｂｉｃ補間が用いられる。ここでのサイズ変更処理ではデータ量の多い撮像画像データを拡大／縮小処理するのでより多くの時間がかかるが、拡大／縮小処理後の画像データは高精細なものとなる。
【００１２】
ＳＤＲＡＭ１１は、上記した第１記憶領域１１−１に加えて、画像処理部１２において原画像データを間引いて生成される表示用の簡易画像データをＡ画像として記憶するための第２記憶領域１１−２と、画像処理部１２において原画像データを拡大／縮小処理して生成された画像データをＢ画像として記憶するための第３記憶領域１１−３とを有する。記録メディア１３は多数枚の画像データを記録するためのメディアである。
【００１３】
ビデオ出力部１６は、ＳＤＲＡＭ１１の第２記億領域１１−２に記憶された簡易画像データを用いてサイズの異なる画像データを順次生成する簡易サイズ変更部（以下、ＶＳＣ：Video Size Converterと呼ぶ）１６−１を備えている。ここでの拡大／縮小処理に使用される画像データは原画像データを間引いたデータ量の少ない撮像データであるので処理速度はより高速である。本実施形態ではこのような簡易画像データを順次拡大／縮小して段階的に表示することによりユーザに対して視覚上スムーズなズーミング効果を与えるものである。
【００１４】
ＣＰＵ１４はカメラ内部の各部の制御を行う部分であるが、ここでは特に、ユーザが拡大／縮小表示を指示するための操作ボタン１５を操作したことを検出したときに、画像処理部１２のサイズ変更部１２−１あるいはビデオ出力部１６のＶＳＣ１６−１に画像データのサイズを変更する旨の指示を送る。
【００１５】
以下に、上記した構成の作用について説明する。まず、ＣＣＤ１０により撮像された画像データがサイズ変更を伴わないで表示されるまでの流れを説明する。被写体をＣＣＤ１０により撮像して得られた画像データはＳＤＲＡＭ１１の第１記憶領域１１−１にいったん記憶される。記憶された画像データは画像処理部１２に読み出されてＹＣ生成等の画像処理、さらに間引きにより簡易画像データとされた後、ＳＤＲＡＭ１１の第２記憶領域１１−２に記憶される。その後、第２記億領域１１−２から読み出された画像データはビデオ出力部１６を経た後、ＤＡＣ１７でアナログデータに変換され、ＴＦＴ表示装置１８に表示される。あるいは当該画像データはビデオ出力部１６を経た後、エンコーダ１９での符号化、ＤＡＣ２０でのアナログデータへの変換処理を経て、ＴＶ装置２１に表示される。
【００１６】
次に、図１に加えて図２（Ａ），（Ｂ）を参照して本発明の第１実施形態（請求項２に対応）に係る画像データの表示方法の詳細を説明する。ここでは画像データを拡大する場合について説明する。第２記憶領域１１−２にはすでにＣＣＤ１０により撮像された画像データが記憶されているものとする。まず、第２記億領域１１−２に記憶されている簡易画像データであるＡ画像をビデオ出力部１６を介してＴＦＴ表示装置１８に表示する（ステップＳ１）。次に操作ボタン１５としての拡大ボタンがＯＮされているかどうかを判断し（ステップＳ２）、ＯＮされていない場合にはＡ画像を表示しつづけるが、ＯＮされている場合には画像処理部１２内のサイズ変更部１２−１での拡大処理（第１の方法によるサイズ変更処理）を開始する（ステップＳ３−１）。同時に、ビデオ出力部１６内のＶＳＣ１６−１においてＡ画像を順次拡大処理（第２の方法によるサイズ変更処理）して段階的に表示する（ステップＳ３−３〜Ｓ３−６）。ここではｎ回の拡大処理を行う。図２（Ｂ）は原画像がＶＳＣ１６−１により順次拡大表示されるようすを示している。ここでｎは任意に設定することができ、ｎが大きくなるほどユーザに対して視覚上スムーズなズーミング効果を与えることができる。また、この場合、簡易画像データとしてのＡ画像は撮像時の画像データではなく、表示のためにデータ量が少なくされた画像データであるので、拡大処理に要する時間は少なくて済み、表示されるまでのタイムラグは比較的小さい。
【００１７】
一方、このときまでにサイズ変更部１２−１での拡大処理が終了しており、拡大された画像データはＢ画像としてＳＤＲＡＭ１１内の第３記憶領域１１−３に出力される（ステップＳ３−２）。従って、ステップＳ３−６での拡大表示の後は、このＢ画像が第３記憶領域１１−３から読み出されてビデオ出力部１６を介してＴＦＴ表示装置１８に送られ、現在表示されているＡ画像の代わりに表示される（ステップＳ４）。
【００１８】
次に、図１に加えて図３を参照して本発明の第２実施形態（請求項３に対応）に係る画像データの表示方法の詳細を説明する。まず、第２記憶領域１１−２からＡ画像を読み出してＴＦＴ表示装置１８に表示する（ステップＳ１１）。次に、操作ボタン１５としての拡大ボタンがＯＮされているかどうかを判断し（ステップＳ１２）、ＯＮされている場合にはＶＳＣ１６−１にて拡大処理を行って表示する（ステップＳ１３）。拡大ボタンが押されている間はステップＳ１２の判断がＹＥＳとなるのでＶＳＣ１６−１での拡大処理が順次行われて（第１の方法によるサイズ変更処理）、拡大された画像データが段階的に表示される。拡大ボタンがＯＦＦされたときにはＶＳＣ１６−１での拡大処理を停止する（ステップＳ１４）とともに、拡大処理を停止した時点における拡大画像の大きさに対応する大きさのＢ画像を画像処理部１２内のサイズ変更部１２−１にて生成し（第２の方法による生成処理）（ステップＳ１５）、現在表示されているＡ画像の代わりにＴＦＴ表示装置１８に表示する（ステップＳ１６）。
【００１９】
次に、図１に加えて図４を参照して本発明の第３実施形態（請求項４に対応）に係る画像データの表示方法の詳細を説明する。まず、第２記憶領域１１−２から簡易画像データとしてのＡ画像を読み出してＴＦＴ表示装置１８に表示する（ステップＳ２１）。次に、操作ボタン１５としての拡大ボタンがＯＮされているかどうかを判断し（ステップＳ２２）、ＯＮされている場合にはＶＳＣ１６−１にて拡大処理を行って表示する（ステップＳ２３）。次に、ステップＳ２３での拡大処理により所定の拡大率を越えたかどうかを判断し（ステップＳ２４）、ＮＯの場合には上記したステップＳ２２、Ｓ２３、Ｓ２４の処理を繰り返す。これにより、所定の拡大率を越えない間は、Ａ画像がＶＳＣ１６−１で順次拡大され（第１の方法による画像データ生成処理）、当該拡大された画像データがＴＦＴ表示装置１８に段階的に表示される。
【００２０】
そして、ステップＳ２４で所定の拡大率を越えたと判断された場合には、画像処理部１２内で所定サイズのＢ画像を生成する処理（第２の方法による画像データ生成処理）を開始し（ステップＳ２６）、当該Ｂ画像の生成が完了したときに（ステップＳ２７）、このＢ画像がビデオ出力部１６を介してＴＦＴ表示装置１８に送られ、現在表示されているＡ画像の代わりに表示される（ステップＳ２８）。その後はステップＳ２２に戻って以降のステップを繰り返す。なお、ステップＳ２２で拡大ボタンがＯＦＦされた場合にはＶＳＣ１６−１での拡大処理を停止する（ステップＳ２５）。
【００２１】
以上、本発明を画像データを拡大表示する場合の表示方法について説明したが、本発明は画像データを縮小表示する場合についても適用可能である。縮小表示する場合のシステム構成は基本的に図１と同様である。
【００２２】
図５は、縮小表示を行う場合の手順を説明するための図である。撮影時の画像データ（原画像データ）１００を間引いてデータ量を少なくした表示用画像データ１０１が生成され、この表示用画像データ１０１が図１のＶＳＣ１６−１により順次縮小処理されて段階的にＴＦＴ表示装置１８に表示される。この間、画像処理部１２−１では撮影画像データ１００を縮小する処理が行われて所定サイズの縮小画像データ１０２が生成され、ＶＳＣ１６−１により縮小処理されてその時点で表示されている縮小画像１０３に代わってＴＦＴ表示装置１８に表示される。
【００２３】
上記した実施形態によれば、ズーム表示するための画像を高画質で高速に生成することができ、かつ、ユーザに対して視覚上スムーズなズーミング効果を与えることができる。
【図面の簡単な説明】
【００２４】
【図１】本発明の画像データの表示方法を実現するための電子撮像装置のシステム構成の概略構成を示すブロック図である。
【図２】本発明の第１実施形態に係る画像データの表示方法の詳細を説明するための図である。
【図３】本発明の第２実施形態に係る画像データの表示方法の詳細を説明するための図である。
【図４】本発明の第３実施形態に係る画像データの表示方法の詳細を説明するための図である。
【図５】縮小表示を行う場合の手順を説明するための図である。
【符号の説明】
【００２５】
１０…ＣＣＤ、１１…ＳＤＲＡＭ、１１−１…第１記憶領域、１１−２…第２記憶領域、１１−３…第３記憶領域、１２…画像処理部、１２−１…サイズ変更部、１３…記録メディア、１４…ＣＰＵ、１５…操作ボタン、１６…ビデオ出力部、１６−１…簡易サイズ変更部、１７…ＤＡＣ、１８…ＴＦＴ表示装置、１９…エンコーダ、２０…ＤＡＣ、２１…ＴＶ表示装置。
【図１】
2005151029.tif 000003
【図２】
2005151029.tif 000004
【図３】
2005151029.tif 000005
【図４】
2005151029.tif 000006
【図５】
2005151029.tif 000007